(57)【要約】【課題】    フィルタ本体の透過面積を増大させて、空気浄化能力を増大させることが出来ると共に、メンテナンス性も良好な建物の換気構造を提供する。【解決手段】  駆動により送風を行う送風装置２６と、送風装置２６とは、別体で構成されて、送風装置２６の送風吹出口２６ａ側に連結されることにより、二階建て住宅２０内各室の一階、二階居室空間部２１，２２〜２４へダクト２７〜２９を介して、浄化された空気を送出するフィルタユニット３０とを有し、送風装置２６及びフィルタユニット３０とを共に、前記二階建て住宅２０の床下空間２５で、地盤面３２に設置する。【選択図】図１
2006105516.tif 000002
【特許請求の範囲】
【請求項１】
駆動により送風を行う送風装置と、該送風装置とは、別体で構成されて、該送風装置の送風吹出口側に連結されることにより、建物内各室へダクトを介して、浄化された空気を送出するフィルタユニットとを有し、該送風装置及びフィルタユニットとを共に、前記建物の床下で、地盤面に設置することを特徴とする建物の換気構造。
【請求項２】
前記フィルタユニットは、中空箱状のフィルタボックスと、フィルタ本体が、折り畳まれて纏められるフィルタカセットとを有して、該フィルタカセットが、前記フィルタボックス内に装脱着可能に内蔵されることを特徴とする請求項１記載の建物の換気構造。
【請求項３】
前記フィルタユニットの送出側側面部には、前記建物内各室に各々浄化された空気を送出可能とする様に、複数のダクト接続部が形成された分岐チャンバ部を有することを特徴とする請求項１又は２記載の建物の換気構造。
【発明の詳細な説明】
【技術分野】
【０００１】
この発明は、個人住宅等の建物の屋内空間に用いられる建物の換気構造で、特に、空気清浄性及びメンテナンス性に優れた建物の換気構造に関するものである。
【背景技術】
【０００２】
従来、図８に示すような建物１の換気構造が、知られている（例えば、特許文献１等参照）。
【０００３】
まず、構成から説明すると、このような従来の建物１の換気構造では、屋上排気室２に、屋根裏空間３の空気を引き込むための排気ファン４が設けられている。
【０００４】
また、床下空間５には、基礎６の上面６ａから一定距離ｈ離間されて、空調ユニット７が設けられている。
【０００５】
この空調ユニット７は、外気を取り込んで送気ダクト８に送り込む送風機７ａと、換気ダクト９を介して引き込んだ空気を床下空間５に放出するための吸気ファン７ｂとを有すると共に、前記換気ダクト９を通じて戻された空気を外気と熱交換させる熱交換器７ｃを設けている。
【０００６】
そして、この空調ユニット７には、内蔵フィルタ７ｄが、一体に設けられていて、前記送気ダクト８から送り出される空気を浄化するように構成されている。
【０００７】
また、図９に示す様な建物１１の換気構造も知られている（例えば、特許文献１等参照）。
【０００８】
このような建物１１の換気構造では、外気が供給される換気扇部１２と、空気を浄化するフィルターユニット１３とが、別体で構成されていると共に、ダクト１４を介して接続されて、天井裏空間１９に設けられている。
【０００９】
このフィルターユニット１３は、送出側部１３ａに、分岐チャンバ部１４が設けられていて、複数のダクト接続部１４ａ…が、前記建物１１内各室ａ，ｂ，ｃに各々浄化された空気を送出可能とする様に、各フレキシブルダクト１５〜１８の一端に各々接続されている。
【００１０】
次に、この従来の建物１１の換気構造では、天井裏空間に設けられた前記換気扇部１２を駆動すると、外気が、この換気扇部１２を介して、前記フィルターユニット１３方向に送出される。
【００１１】
フィルターユニット１３では、この送られてきた外気を内蔵する図示省略のフィルタ本体を透過させることによって浄化する。
【００１２】
そして、このフィルターユニット１３の送出側部１３ａに設けられた前記分岐チャンバ部１４によって分流されて、複数のダクト接続部１４ａ…及びフレキシブルダクト１５〜１８によって、前記建物１１内各室ａ，ｂ，ｃに各々、浄化された空気が供給される。
【特許文献１】特開２００２−３４０３８２号公報（段落第００１０乃至第００２７，図１）
【特許文献２】特開平１１−６６４３号公報（段落第００１０乃至第００２４，図１）
【発明の開示】
【発明が解決しようとする課題】
【００１３】
しかしながら、前記図８に示されるような従来の建物１の換気構造では、床下空間５に設置された空調ユニット７に、送風機７ａ，吸気ファン７ｂと共に、一体に内蔵されている内蔵フィルタユニット７ｄを用いて空気を浄化するように構成されている。
【００１４】
このため、内蔵フィルタユニット７ｄの使用出来る容量が限られてしまい、空気を透過させる面積も、限界が生じ、浄化性能を維持するための交換間隔も短いものとなってしまうという問題があった。
【００１５】
また、前記内蔵フィルタユニット７ｄの交換作業を行う際には、床下空間５で、内蔵フィルタユニット７ｄの交換を行わなければならず、メンテナンス性も良好であるとは言い難かった。
【００１６】
更に、前記一本の送気ダクト８を前記空調ユニット７から延出して、隔室の手前で分岐させているが、分岐に例えば、３方管形状のジョイント部材を用いなければならないため、部品点数が増大してしまう虞があった。
【００１７】
また、前記図９に示す従来の換気構造では、前記フィルターユニット１３が、天井裏空間に設けられているので、天井裏の支持剛性を向上させなければ、大型のフィルターユニット１３を配置出来ない。
【００１８】
しかも、天井裏空間のスペースは、限られているため、大面積の透過面積を有するフィルタを設置することは困難であった。
【００１９】
そこで、この発明は、フィルタ本体の透過面積を増大させて、空気浄化能力を増大させることが出来ると共に、メンテナンス性も良好な建物の換気構造を提供することを課題としている。
【課題を解決するための手段】
【００２０】
上記目的を達成するために、請求項１に記載された発明では、駆動により送風を行う送風装置と、該送風装置とは、別体で構成されて、該送風装置の送風吹出口側に連結されることにより、建物内各室へダクトを介して、浄化された空気を送出するフィルタユニットとを有し、該送風装置及びフィルタユニットとを共に、前記建物の床下で、地盤面に設置する建物の換気構造を特徴としている。
【００２１】
また、請求項２に記載されたものは、前記フィルタユニットは、中空箱状のフィルタボックスと、フィルタ本体が、折り畳まれて纏められるフィルタカセットとを有して、該フィルタカセットが、前記フィルタボックス内に装脱着可能に内蔵される請求項１記載の建物の換気構造を特徴としている。
【００２２】
更に、請求項３に記載されたものは、前記フィルタユニットの送出側側面部には、前記建物内各室に各々浄化された空気を送出可能とする様に、複数のダクト接続部が形成された分岐チャンバ部を有する請求項１又は２記載の建物の換気構造を特徴としている。
【発明の効果】
【００２３】
このように構成された請求項１記載のものでは、前記フィルタユニットが、前記送風装置とは別体で設けられている。
【００２４】
しかも、該フィルタユニットが、空間スペースに余裕の有る前記建物の床下で、しかも、支持剛性の高い地盤面に設置されるので、大型化されて重量が増大しても、設置出来る。
【００２５】
このため、フィルタユニットのフィルタ面積を増大させて、大面積の透過面積を確保することにより、空気浄化能力を増大させることができる。
【００２６】
しかも、フィルタユニットのフィルタ面積を増大させることにより、フィルタの交換頻度を少なくして、メンテナンス性を向上させることができる。
【００２７】
また、前記フィルタユニットは、前記送風装置とは別体で設けられているため、床下空間の限られた空間スペース内での交換作業性を良好なものとすることができる。
【００２８】
また、請求項２に記載されたものは、前記フィルタボックス内に装脱着可能に内蔵されるフィルタカセットに、前記フィルタ本体が、折り畳まれて纏められているので、透過面積を大面積としても、該フィルタカセット自体の体積を少なく構成できる。
【００２９】
このため、前記フィルタユニットの容量に比して、フィルタ本体を大面積化することが可能となり、空気浄化能力を更に増大させることができる。
【００３０】
また、前記フィルタカセットは、前記フィルタボックスに対して、装脱着可能であるので、該フィルタボックスから該フィルタカセットを取り外して、容易に、前記フィルタ本体の交換又は洗浄等のメンテナンスを行うことができる。
【００３１】
従って、更に、メンテナンス性が良好である。
【００３２】
そして、請求項３に記載されたものは、前記各室に連通される各ダクトに送出される手前のフィルタユニット内で、浄化が行われた空気が、該フィルタユニットの送出側側面部に設けられた分岐チャンバ部で、複数のダクト接続部に分岐されて、各室に前記ダクトを介して、送出される。
【００３３】
このため、複数の部屋に、１つの送風機で空気を送る際にも、従来のように、３方管形状のジョイント部材等を用いなくても良く、しかも、少ない通気抵抗で浄化された空気を供給出来る。
【００３４】
従って、部品点数の増大を抑制して、省施工で、高性能の建物の換気構造を提供出来る。
【発明を実施するための最良の形態】
【００３５】
次に、図面に基づいて、この発明を実施するための最良の実施の形態の建物の換気構造を説明する。
【００３６】
なお、前記従来例と同一乃至均等な部分については同一符号を付して説明する。
【００３７】
図１乃至図７は、この発明の実施の形態の建物の換気構造を説明するものである。
【００３８】
まず、構成を説明すると、この発明の実施の形態では、建物としての二階建て住宅２０が、主に、一階居室空間部２１及び二階第１〜３居室空間部２２〜２４を有して構成されている。
【００３９】
この二階建て住宅２０の床下空間２５には、外気ダクト２６ａを介して吸気した外気を駆動により、送風する送風装置２６と、送風装置２６とは、別体で構成されて、送風装置２６の送風吹出口側に連結されることにより、建物内各室の前記各一階居室空間部２１及び二階第１〜３居室空間部２２〜２４へ、ダクト２７〜２９を介して、浄化された空気を送出するフィルタユニット３０とが設けられている。
【００４０】
これらの送風装置２６とフィルタユニット３０とは、この二階建て住宅２０の床下で、地盤面３２に設けられた共通台座部３１の上面３１ａに、隣接されて設置されている。
【００４１】
このうち、前記フィルタユニット３０は、図２乃至図６に示す様に、略直方体形状を呈して、中空箱状のフィルタボックス３３によって、筐体が概略構成されている。
【００４２】
このフィルタボックス３３の流入側側面部３３ａには、前記送風装置２６の送風吹出口側に連結される１つの流入側接続口部３４が、周縁の接続リング部３４ａを、この流入側側面部３３ａの略中央位置に一体となるように固着させて開口形成されている。
【００４３】
また、このフィルタユニット３０のフィルタボックス３３の送出側側面部３３ｂには、前記各ダクト２７〜２９の基端部が、各々接続される複数のダクト接続部３５ａ…が、千鳥状に合計６個、形成された分岐チャンバ部３５が設けられている。
【００４４】
更に、この実施の形態では、前記フィルタボックス３３の側面部３３ｃには、略正方形形状のフィルタ挿抜開口部３３ｄ，３３ｅが開口形成されている。
【００４５】
このフィルタ挿抜開口部３３ｄ，３３ｅからは、透過する空気を浄化するフィルタ本体３６ａ，３７ａが、各々交互に折り畳まれて纏められることにより、透過面積に対する容積を減少させたフィルタカセットとしての高密度フィルタカセット３６，３７が、側方からスライド挿入されることにより、これらの高密度フィルタカセット３６，３７が、前記フィルタボックス３３内に装脱着可能に内蔵されるように構成されている。
【００４６】
この実施の形態では、前記高密度フィルタカセット３６が、ＮＯ２ 除去機能を有する
中性能（ＨＥＰＡ）若しくは高性能（ＵＬＰＡ）フィルタ本体３６ａを折り畳んで、略直方体形状に纏められることにより、長手方向を前記フィルタボックス３３内に向けて、前記フィルタ挿抜開口部３３ｅから挿抜可能となるように構成されている。
【００４７】
また、この実施の形態では、前記高密度フィルタカセット３７が、除塵機能を有する高性能（ＨＥＰＡ）若しくは超高性能（ＵＬＰＡ）フィルタ本体３７ａを折り畳んで、略直方体形状に纏められることにより、長手方向を前記フィルタボックス３３内に向けて、前記フィルタ挿抜開口部３３ｄから挿抜可能となるように構成されている。
【００４８】
この実施の形態では、通常、約０．２〜０．５平方メートル程度の透過面積を確保することが出来る体積で、折り畳んで、略直方体形状に纏められることにより、約２０〜８０倍となる約１０〜１０平方メートル程度の透過面積を充填出来る。
【００４９】
そして、前記フィルタボックス３３内に内蔵された収納状態では、前記流入側接続口部３４から、複数のダクト接続部３５ａ…に向けて流れる空気の流通経路に対して、これらの高密度フィルタカセット３６，３７は、各々長手方向を直交させて、除塵に最適な速度で、前記各フィルタ本体３６ａ，３７ａを通過できるように、広い流通断面積を確保するように構成されている。
【００５０】
更に、この実施の形態では、前記各フィルタ本体３６ａ，３７ａの折り畳み方向が、交互に形成される山部及び谷部の方向を前記空気の流れる方向に沿わせて、略全面で、該空気を受け止めるように構成されている。
【００５１】
しかも、これらの高密度フィルタカセット３６，３７は、長手方向に相互に沿わせて並設されることにより、前記流入側接続口部３４から、複数のダクト接続部３５ａ…に向けて流れる空気の流通経路に対して、直列に配列されている。
【００５２】
また、このフィルタ挿抜開口部３３ｄ，３３ｅには、図４に示す様に、前記高密度フィルタカセット３６，３７を内蔵状態で閉塞する蓋体３８，３９が、各々装着されるように構成されている。
【００５３】
次に、この実施の形態の建物の換気構造の作用について説明する。
【００５４】
この実施の形態の建物の換気構造では、前記フィルタユニット３０が、前記送風装置２６とは別体で設けられている。
【００５５】
しかも、このフィルタユニット３０が、空間スペースに余裕の有る前記二階建て住宅２０の床下空間２５で、しかも、支持剛性の高い地盤面に設けられた共通台座部３１の上面３１ａに設置されるので、大型化されて重量が増大しても、充分な支持剛性が与えられて、設置出来る。
【００５６】
このため、フィルタユニット３０の体積の増大に伴い、重量が増大しても設置できる。
【００５７】
従って、前記フィルタユニット３０に用いられるフィルタ本体３６ａ，３７ｂのフィルタ面積を増大させて、大面積の透過面積を確保することにより、空気浄化能力を増大させることができる。
【００５８】
しかも、前記フィルタユニット３０に用いられるフィルタ本体３６ａ，３７ｂのフィルタ面積を増大させることにより、フィルタ本体３６ａ，３７ａの交換や清掃の頻度を少なくして、メンテナンス性を向上させることができる。
【００５９】
また、前記フィルタユニット３０は、前記送風装置２６とは別体で設けられているため、床下空間２５の限られた空間スペース内での交換作業性を良好なものとすることができる。
【００６０】
また、この実施の形態では、前記フィルタボックス３３内に装脱着可能に内蔵される高密度フィルタカセット３６，３７に、前記フィルタ本体３６ａ，３７ａが、折り畳まれて纏められているので、透過面積を大面積としても、フィルタカセット３６，３７自体の体積を少なく構成できる。
【００６１】
このため、前記フィルタユニット３０の容量に比して、フィルタ本体３６ａ，３７ａを大面積化することが可能となり、空気浄化能力を更に増大させることができる。
【００６２】
しかも、この実施の形態では、比較的空間スペースに余裕の有る床下空間２５に２本の高密度フィルタカセット３６，３７を、長手方向に相互に沿わせて並設させて、前記流入側接続口部３４から、複数のダクト接続部３５ａ…に向けて流れる空気の流通経路に対して、直列に配列させることができる。
【００６３】
このため、ＮＯ２ 除去機能を有する高密度フィルタカセット３６よりも上流側の高密
度フィルタカセット３７で、塵芥を概略除塵させることにより、前記高密度フィルタカセット３６に目詰まりが発生するまでの時間を延長することが出来て、交換若しくは清掃等のメンテナンスの間隔を、更に広げることが出来る。
【００６４】
また、前記フィルタカセット３６，３７は、前記フィルタボックス３３に対して、装脱着可能であるので、フィルタボックス３３の側面部３３ｃに形成された前記フィルタ挿抜開口部３３ｅ，３３ｄから、これらのフィルタカセット３６，３７を取り外して、容易に、前記フィルタ本体３６ａ，３７ａの交換又は洗浄等のメンテナンスを行うことができる。
【００６５】
しかも、この実施の形態では、個別にフィルタカセット３６，３７の取り外しが行えるので、目詰まり等の交換又は洗浄等のメンテナンスが必要な何れかのフィルタカセット３６，３７のみ単体でメンテナンスを行える。
【００６６】
更に、フィルタカセット３６，３７は、一体型のものに比して、小型化が可能で、個別に床下空間２５から容易に取り出せるので、取り出した状態で、前記フィルタ本体３６ａ又は３７ａを清掃若しくは、折り畳んで纏める等の交換作業を広い作業スペースで行うことが出来る。この点においても、更に、メンテナンス性が良好である。
【００６７】
そして、前記各一階，二階居室空間部２１，２２〜２４に連通される各ダクト２７〜２９に送出される手前のフィルタユニット３０のフィルタボックス３３内で、浄化が行われた空気が、フィルタボックス３３の送出側側面部３３ｂに、設けられた分岐チャンバ部３５で、複数のダクト接続部３５ａ…に分岐されて、各一階，二階居室空間部２１，２２〜２４に前記各ダクト２７〜２９を介して、送出される。
【００６８】
このため、複数の部屋に、１つの送風機２６で空気を送る際にも、従来のように、３方管形状のジョイント部材等を用いなくても良く、少ない通気抵抗で浄化された空気を供給出来る。
【００６９】
従って、部品点数の増大が抑制されて、省施工で、高性能の建物の換気構造を提供出来る。
【００７０】
しかも、この実施の形態では、図２に示す様に、前記ダクト２７〜２９が接続されずに使用されないダクト接続部３５ａを蓋体３５ｂ…で閉塞して、前記分岐チャンバ部３５のうち、使用するダクト接続部３５ａ…を選択可能で、分散させて接続する設定とすることも出来る。
【００７１】
このため、通風経路が偏ることなく、広い面積で、フィルタ本体３６ａ，３７ａの集塵能力を有効に発揮させることが出来る。
【実施例１】
【００７２】
図７は、この発明の実施の形態１の実施例の建物の換気構造に用いられるフィルタユニット１３０を示すものである。
【００７３】
なお、前記実施の形態と同一乃至均等な部分については、同一符号を付して説明する。
【００７４】
この実施例１では、図示省略の送風装置とは、別体で構成されるフィルタユニット１３０が、略直方体形状を呈して、中空箱状のフィルタボックス１３３によって構成される筐体を有し、このフィルタボックス１３３の側面部に開口形成された略長方形形状のフィルタ挿抜開口部１３３ｄから、透過する空気を浄化するフィルタ本体１３６ａが、各々交互
に折り畳まれて纏められることにより、透過面積に対する容積を減少させたフィルタカセットとしての高密度フィルタカセット１３６として、スライド挿入されるように構成されていて、この高密度フィルタカセット１３６が、前記フィルタボックス１３３内に装脱着可能となるように内蔵されている。
【００７５】
また、このフィルタ挿抜開口部１３３ｄには、図７に示す様に、前記高密度フィルタカセット１３６を内蔵状態で閉塞する蓋体３８が、装着されている。
【００７６】
他の構成、及び作用効果については、前記実施の形態と同一乃至均等であるので説明を省略する。
【００７７】
以上、図面を参照して、本発明の実施の形態及び実施例１を詳述してきたが、具体的な構成は、この実施の形態及び実施例１に限らず、本発明の要旨を逸脱しない程度の設計的変更は、本発明に含まれる。
【００７８】
即ち、前記実施の形態では、２本の高密度フィルタカセット３６，３７が、長手方向に相互に沿わせて並設されることにより、前記流入側接続口部３４から、複数のダクト接続部３５ａ…に向けて流れる空気の流通経路に対して、直列に配列されているが、特にこれに限らず、例えば、３本以上の複数本でも良く、さらに、空気清浄機能が、異なるものやあるいは同じもので、集塵出来る塵芥の細かさが異なるものを直列に配列する等、どのような形状、数量及び材質のフィルタ本体を有するフィルタユニットであってもよい。
【図面の簡単な説明】
【００７９】
【図１】この発明の実施の形態の建物の換気構造で、全体の構成を説明する模式的な建物の縦断面図である。
【図２】実施の形態の建物の換気構造で、フィルタユニットの構成を説明する斜視図である。
【図３】実施の形態の建物の換気構造で、フィルタユニットの構成を説明する上面図である。
【図４】実施の形態の建物の換気構造で、フィルタユニットの構成を説明する側面図である。
【図５】実施の形態の建物の換気構造で、フィルタユニットの送出側側面の正面図である。
【図６】実施の形態の建物の換気構造で、フィルタユニットの流入側側面の正面図である。
【図７】実施の形態の実施例１の建物の換気構造に用いられるフィルタユニットの構成を説明する斜視図である。
【図８】一従来例の建物の換気構造で、全体の構成を説明する縦断面図である。
【図９】他の従来例の建物の換気構造で、全体の構成を説明する平面図である。
【符号の説明】
【００８０】
２０                二階建て住宅（建物）
２５                床下空間
２６                送風装置
２６ａ              送風吹出口
２７〜２９          ダクト
３０，１３０        フィルタユニット
３２                地盤面
３５                分岐チャンバ部
３５ａ              ダクト接続部
３６，３７，１３６  高性能フィルタカセット（フィルタカセット）
【図１】
2006105516.tif 000003
【図２】
2006105516.tif 000004
【図３】
2006105516.tif 000005
【図４】
2006105516.tif 000006
【図５】
2006105516.tif 000007
【図６】
2006105516.tif 000008
【図７】
2006105516.tif 000009
【図８】
2006105516.tif 000010
【図９】
2006105516.tif 000011